(57)【要約】【課題】引戸の開閉操作時に、引戸下方から発生する騒音を低減させることのできる引戸装置を提供すること。【解決手段】出入り口に配置される引戸４と、引戸４上部の戸先側と、戸尻側に取り付けた走行車輪５、６を載置し、引戸を吊り下げる走行用レール５とを備え、引戸４が、床面Ｆに配設したガイドローラ８に沿って移行する引戸装置１において、引戸の下辺を形成する下骨４２に、吸音材９を貼着する。【選択図】図１
2006274638.tif 000002
【特許請求の範囲】
【請求項１】
出入り口に配置される引戸と、引戸上部の戸先側と、戸尻側に取り付けた走行車輪を載置し、引戸を吊り下げる走行用レールとを備え、引戸が、床面に配設したガイドローラに沿って移行する引戸装置において、引戸の下辺を形成する下骨に、吸音材を貼着したことを特徴とする引戸装置。
【請求項２】
ガイドローラを、該ガイドローラの回転軌跡面が、傾斜した走行用レールと略平行となるように配設したことを特徴とする請求項１記載の引戸装置。
【請求項３】
ガイドローラを、引戸の走行方向と直角方向に、移動可能に配設したことを特徴とする請求項１又は２記載の引戸装置。
【発明の詳細な説明】
【技術分野】
【０００１】
本発明は、引戸装置に関し、特に引戸の開閉操作時に発生する騒音を低減する引戸装置に関するものである。
【背景技術】
【０００２】
従来の吊り戸式の引戸装置では、引戸枠部材の上部に配設した走行用レールに、引戸上部に配設した戸車を載置し、引戸の下部は床面と一定の隙間を空け、戸袋入口の床面に、引戸の揺れを防止するためのガイドローラを配設して構成される。
【０００３】
この吊り戸式の引戸装置５０は、図５に示すように、引戸枠部材２と、該引戸枠部材２の一側に形成された戸袋３内に収納される引戸４とより構成される。引戸４は、対をなす前後の戸車６、７を走行用レール５に載置している。
通常は、走行用レール５は、閉じ側に向けて下り傾斜して取り付けられ、引戸４がその自重によって、又は、適宜手段によって、常時は、引戸４を閉じ方向に付勢するように構成している。
【０００４】
引戸４は、断面コ字状の下骨４２と、上骨４３、両竪骨４４、４４で枠組みし、表面に化粧板４５を配設し、内部に芯材４１を配置してなる。
また、引戸４の下部は、床面Ｆと一定の隙間を空け、戸袋入口の床面Ｆに、引戸の揺れを防止するためのガイドローラ８０を配設する。
このガイドローラ８０は、軸部分８１の先端に、摺動性の良い樹脂などからなるローラ部分８３で被覆された、ベアリング８２が嵌入され、引戸４下面の開口部分となる、鋼製又はアルミ部材からなる断面コ字状の下骨４２内に位置するように、床面Ｆに、ブラケット８４ａを介して配設される。
そして、引戸４が走行方向に対して、直角方向に大きく移動することがないように引戸４を案内する。
【０００５】
一般に、吊り戸式の引戸装置における騒音は、稼働部分である戸車と、走行用レールの接触する部分が一番の発生源ではあるものの、戸車の材質の変更や、走行用レールの点検用スペースに、消音材を貼り付けるなどすることによって改善されている。そして、引戸の上面又は下面と、引戸枠部材との接触面に、摩擦接触する摩擦抵抗体を設け、引戸の開閉操作のエネルギーを、摩擦抵抗体での摩擦抵抗損失として消費させ、引戸枠部材と引戸との、衝突時に生じる騒音の軽減を図る試みもなされている（例えば、特許文献１参照）。
【０００６】
しかし、前記吊り戸式の引戸装置５０は、下骨４２の内面が、鋼製又はアルミ部材のままであり、ガイドローラ８０との接触によって大きな騒音が発生する。
また、通常走行用レール５が、閉じ側に向けて下り傾斜しているため、ガイドローラ８０と、下骨４２が接触する際、図６に示すように、ガイドローラ８０の回転軌跡面に対して、引戸４の移動方向が平行ではないため、引戸４の移動方向の力Ｆは、平行方向への移動力Ｆｘと下方向への移動力Ｆｙに分解され、ガイドローラ８０に配設した、ローラ部分８３と、ベアリング８２は、下骨４２の内面に当接しながら回転するだけでなく、引戸４の下方向への移動力Ｆｙが作用し、該移動力Ｆｙに対しては、下骨４２内面と、ローラ部分８３との間で抵抗となり、騒音の発生原因となっている。また、引戸４の開閉中に、走行用レール５に対して直角方向の力（引戸４を室壁側に押し引きする力）を受けるときは、ガイドローラ８０の軸部分８１に無理な負荷が加わって、騒音の発生原因となるという問題があった。
【特許文献１】特開平６−３４６６５７号公報
【発明の開示】
【発明が解決しようとする課題】
【０００７】
本発明は、上記従来の引戸装置の有する問題点に鑑み、引戸の開閉操作時に、引戸下方から発生する騒音を低減させることのできる引戸装置を提供することを目的とする。
【課題を解決するための手段】
【０００８】
上記目的を達成するため、本発明の引戸装置は、出入り口に配置される引戸と、引戸上部の戸先側と、戸尻側に取り付けた走行車輪を載置し、引戸を吊り下げる走行用レールとを備え、引戸が、床面に配設したガイドローラに沿って移行する引戸装置において、引戸の下辺を形成する下骨に、吸音材を貼着したことを特徴とする。
【０００９】
この場合において、ガイドローラを、該ガイドローラの回転軌跡面が、傾斜した走行用レールと略平行となるように配設することができる。
【００１０】
また、これらの場合において、ガイドローラを、引戸の走行方向と、直角方向に移動可能に配設することができる。
【発明の効果】
【００１１】
本発明の引戸装置によれば、引戸の下辺を形成する下骨に、吸音材を貼着したから、引戸の開閉時に、床面に配設したガイドローラと、下骨との接触によって生じる騒音を有効に防止することができる。
【００１２】
また、ガイドローラを、該ガイドローラの回転軌跡面が、傾斜した走行用レールと略平行に配設するときは、ガイドローラに配設するベアリングに無理な負荷が係ることがなく、騒音の発生を低減することができる。
【００１３】
また、ガイドローラを、引戸の走行方向と、直角方向に移動可能に配設するときは、引戸が、開閉中に走行用レールに対して直角方向の力を受けても、直角方向の移動に追随してガイドローラが移動するからガイドローラに無理な負荷がかかり騒音が発生することを防止する。
【発明を実施するための最良の形態】
【００１４】
以下、本発明の引戸装置の実施の形態を、図面に基づいて説明する。
【実施例１】
【００１５】
図１〜図４に、本発明の引戸装置の実施例を示す。なお、従来装置と同様の構造については同一の符号、一連の符号を付し説明を省略する。
この引戸装置１は、引戸枠部材２と、該引戸枠部材２の一側に形成される戸袋３内に収納される引戸４と、この引戸４を吊り下げて、移行を案内する走行用レール５とを備える。
この引戸４は、特にその構成を特定するものではないが、従来例と同様、断面コ字状の下骨４２と、上骨４３、両竪骨４４、４４で枠組みし、表面に化粧板４５を配設し、内部に芯材４１を配置して構成する。また、一枚板で構成するときのほか、４辺を骨組みで構成しないときでも、引戸４の下辺となる下骨４２部分に該当する下面は、ガイドローラ８の通過を許容するスリット状になるように形成する。
そして、この下骨４２には、吸音材９を貼着する。図２は、下骨４２の内面に貼着した例を示す。貼着箇所は、内面全体に貼り付けるほか、ガイドローラ８と接することのある、内側面にのみ貼り付けてもよく、また、下骨４２の外面に貼着してもよい。
【００１６】
吸音材９は、ガイドローラ８と、下骨４２の内面の接触時に生じる騒音を吸収することのできる素材であれば、特にその材質を限定するものではないが、衝撃を吸収する弾性材料として、ゴムを含むエラストマーを使用することが好ましい。
【００１７】
戸袋３の入口の床面Ｆには、前記下骨４２を案内するガイドローラ８が配設される。このガイドローラ８は、軸部分８１の先端に、摺動性の良い、樹脂などからなるローラ部分８３で被覆されたベアリング８２が嵌入され、床面Ｆにブラケット８４を介して配設される。
そして、本発明のガイドローラ８は、該ガイドローラ８の回転軌跡面が、戸先側を下に傾斜して配設した走行用レール５と略平行となるように、床面Ｆに配設する。この際、図３（ａ）に示すように、ガイドローラ８の軸部分８１が取り付けられるブラケット８４を、走行用レール５の勾配αと等しく傾斜させて形成するほか、図３（ｄ）に示すように、従来例と同形状のブラケット８４ａを用い、シム板８４ｂを、床面Ｆと、ブラケット８４ａの戸尻側の間に挟み込み、走行用レール５の勾配αと等しくなるように配設しても構わない。
【００１８】
さらに、ガイドローラ８を、引戸４の走行方向と直角方向に移動することができるように配設することもできる。
この場合、図３（ａ）〜（ｃ）に示すように、床面Ｆと、ガイドローラ８の取付用ブラケット８４の間に移動用の台座８８を配設する。
台座８８への、ガイドローラ８の取付は、その構成を特に限定するものではなく、引戸４が、引戸４の走行方向に対して直角方向の力を受け、開放方向に対して直角方向に微動する際に、ガイドローラ８が、抵抗となることなく引戸４の微動に追随すればよく、例えば、図３（ｂ）〜（ｃ）に示すように、台座８８に、長孔８８ａを穿孔し、該長孔８８ａに、ブラケット８４の固定手段であるボルト８５を挿通し、台座８８内で、ロックナット８６、８６によって台座８８の下面と一定隙間を設けて固定する。この際、常時は、ガイドローラ８が台座８８の中央に位置するように、スプリング等の付勢手段８７、８７を長孔８８ａに配設して、ボルト８５の軸を、長孔８８ａの中央に位置させておくことが好ましい。また、引戸４の走行方向と直角に移動するガイドローラ８の移動量ｂ（図３（ｂ）参照）は、引戸４と、引戸枠部材２との間隙ｂ（図２及び図４参照）以下にすることが好ましい。
【００１９】
上記構成において、引戸４を開閉する際に、ガイドローラ８に下骨４２の内面が当接しても、吸音材９によってその衝突音は吸収され、騒音の発生を有効に防止することができる。また、走行用レール５が、戸先側を下に傾斜して配設されている場合には、ガイドローラ８の回転軌跡面が、走行用レール５と略平行となるように床面Ｆに配設しているから、図６に示す従来例のように、引戸４の下骨４２によって、下方への移動力Ｆｙを受けることはない。
さらに、引戸４の開閉中に、走行用レール５に対して直角方向の力（引戸４を室壁側に押し引きする力）を受けても、ガイドローラ８を、引戸４の走行方向と直角方向に移動することができるように配設するから、ガイドローラ８の軸部分８１に、無理な負荷が生じて騒音の発生となることはない。
【００２０】
以上、本発明の引戸装置について、実施例に基づいて説明したが、本発明は上記実施例に記載した構成に限定されるものではなく、その趣旨を逸脱しない範囲において適宜その構成を変更することができるものである。
【産業上の利用可能性】
【００２１】
本発明の引戸装置は、引戸の下骨の内面又は外面に吸音材を貼着し、騒音を吸収するとともに、ガイドローラの取り付けに際し、ガイドローラの回転軌跡面が、走行用レールの勾配と等しく、また、引戸の走行方向と直角方向に移動することができるように配設し、引戸開閉時の、ガイドローラと下骨内面が、接触することによって生じる騒音を、有効に低減することができるという特性を有していることから、新設建造物に用いるほか、既設建造物の改良にも好適に用いることができる。
【図面の簡単な説明】
【００２２】
【図１】本発明の引戸装置の実施例を示す一部断面の正面図である。
【図２】図１のＹ−Ｙ断面図である。
【図３】本発明の引戸装置に用いるガイドローラの説明図で、（ａ）は一部断面の平面図、（ｂ）は一部断面の側面図、（ｃ）は（ｂ）のＺ−Ｚ断面図、（ｄ）は別の取付説明図である。
【図４】図１のＸ−Ｘ断面図である。
【図５】従来の引戸装置の実施例を示す一部断面の平面図である。
【図６】従来の引戸装置に用いるガイドローラの説明図である。
【符号の説明】
【００２３】
１    引戸装置
２    引戸枠部材
３    戸袋
４    引戸
５    走行用レール
６    走行車輪
７    走行車輪
８    ガイドローラ
９    吸音材
【図１】
2006274638.tif 000003
【図２】
2006274638.tif 000004
【図３】
2006274638.tif 000005
【図４】
2006274638.tif 000006
【図５】
2006274638.tif 000007
【図６】
2006274638.tif 000008